(57)【特許請求の範囲】
【請求項１】
無線周波数（ＲＦ）信号を複数の受信器に分配する装置であって、
複数のポートであって、各ポートは、対応する受信器に固有に関連付けられ、かつ、前記対応する受信器が接続されると前記対応する受信器に対し、第１のアンテナ及び第２のアンテナを含む複数のアンテナの一つへの無線周波数（ＲＦ）接続を与える複数のポートと、
どの受信器が前記装置に接続されているかを、前記複数のポートにおいて取得された信号から検出する複数の検知器と、
前記検出された受信器のためのネットワーク経路を決定して論理信号を生成する論理モジュールと、
前記論理信号に基づいて、第１の検出された受信器からのデータを、他のすべての検出された受信器を介するように、かつ、前記複数のポートの対応するポートを経由して前記第１の検出された受信器へと戻すように引き回すルータと
を含む装置。
【請求項２】
前記複数のポートは複数のＡポート及び複数のＢポートを含み、
各Ａポートは前記第１のアンテナに接続され、
各Ｂポートは前記第２のアンテナに接続され、
前記複数の検知器は、前記検出された受信器を、対応するＡポートからの取得信号から決定する請求項１の装置。
【請求項３】
前記ルータは、先行する検出された受信器の第１のＡポートからのデータを、次の検出された受信器の次のＢポートに引き回す請求項２の装置。
【請求項４】
前記第１のアンテナは第１のダイバーシティブランチを含み、
第２のアンテナは第２のダイバーシティブランチを含む請求項２の装置。
【請求項５】
選択されたプロトコルに従って前記データをメッセージに変換し、かつ、前記メッセージを別個の通信チャネルを経由して送信するプロセッサをさらに含む請求項１の装置。
【請求項６】
前記データは受信器メッセージを含み、
前記ルータは、前記メッセージを前記検出された受信器の一つから前記複数のポートを経由して受信し、
前記複数のポートは前記検出された受信器とのＲＦ接続を与え、
前記受信器メッセージは、前記複数のポートを経由して次の検出された受信器に引き回される請求項１の装置。
【請求項７】
前記複数の受信器の一つは、無線周波数（ＲＦ）信号を分配する他の装置に接続される請求項１の装置。
【請求項８】
無線周波数（ＲＦ）信号を分配する他の装置とのデータ接続を与えるデータインタフェイスをさらに含み、
前記データは前記他の装置に与えられる請求項１の装置。
【請求項９】
方法であって、
分配システムによって、複数の受信器への無線周波数（ＲＦ）接続を、第１のアンテナ及び第２のアンテナへの複数のポートを介して与えることと、
前記複数の受信器のどれが前記分配システムに接続されているかを検知して、検出された受信器を決定することと、
前記検出された受信器への前記分配システムを介するネットワーク経路を決定することと、
第１の検出された受信器からのデータを、他のすべての検出された受信器へ向かうように、かつ、前記複数のポートを経由して前記第１の検出された受信器へと戻すように引き回すことと
を含む方法。
【請求項１０】
前記複数のポートは複数のＡポート及び複数のＢポートを含み、
各Ａポートは前記第１のアンテナに接続され、
各Ｂポートは前記第２のアンテナに接続され、
方法は、
前記検出された受信器を、対応するＡポートに対する取得信号から決定することをさらに含む請求項９の方法。
【請求項１１】
先行する検出された受信器の第１のＡポートからのデータを、次の検出された受信器の次のＢポートに引き回すことをさらに含む請求項１０の方法。
【請求項１２】
コンピュータ実行可能命令を記憶する非一時的コンピュータ可読記憶媒体であって、
前記命令は、実行されるとプロセッサに、
複数の受信器への無線周波数（ＲＦ）接続を、第１のアンテナ及び第２のアンテナへの複数のポートを介して与えることと、
前記複数の受信器のどれが分配システムに接続されているかを検知して、検出された受信器を決定することと、
前記検出された受信器への前記分配システムを介するネットワーク経路を決定することと、
第１の検出された受信器からのデータを、他のすべての検出された受信器へ向かうように、かつ、前記複数のポートを経由して前記第１の検出された受信器へと戻すように引き回すことと
を行わせる非一時的コンピュータ可読記憶媒体。
【請求項１３】
前記複数のポートは複数のＡポート及び複数のＢポートを含み、
各Ａポートは前記第１のアンテナに接続され、
各Ｂポートは前記第２のアンテナに接続され、
前記プロセッサは、前記検出された受信器を、対応するＡポートに対する取得信号から決定する請求項１２の非一時的コンピュータ可読記憶媒体。
【請求項１４】
前記プロセッサは、先行する検出された受信器の第１のＡポートからのデータを、次の検出された受信器の次のＢポートに引き回す請求項１３の非一時的コンピュータ可読記憶媒体。
【請求項１５】
無線周波数（ＲＦ）信号を分配する装置であって、
複数のポートであって、各ポートは、対応するエンティティに固有に関連付けられ、かつ、前記対応するエンティティが接続されると前記対応するエンティティに対し、第１のアンテナ及び第２のアンテナを含む複数のアンテナの一つへの無線周波数（ＲＦ）接続を与える複数のポートと、
どのエンティティが前記装置に接続されているかを、前記複数のポートにおいて取得された信号から検出する複数の検知器と、
検出されたエンティティのためのネットワーク経路を決定して論理信号を生成する論理モジュールと、
前記論理信号に基づいて、第１の検出されたエンティティからのデータを、他のすべての検出されたエンティティを介するように、かつ、前記複数のポートの対応するポートを経由して前記第１の検出されたエンティティへと戻すように引き回すルータと
を含む装置。
【請求項１６】
前記複数のポートは複数のＡポート及び複数のＢポートを含み、
各Ａポートは前記第１のアンテナに接続され、
各Ｂポートは前記第２のアンテナに接続され、
前記複数の検知器は、前記検出されたエンティティを、対応するＡポートからの取得信号から決定する請求項１５の装置。
【発明の詳細な説明】
【技術分野】
【０００１】
本発明は、通信システムにおけるＲＦ接続を介したデータネットワーク構築に関する。
【０００２】
本願は、２０１２年９月２１日出願の「通信システムにおけるＲＦ接続を介したデータネットワーク構築」との名称の米国特許出願第１３／６２３，９５０号の優先権を主張する。これは、全体が参照としてここに組み入れられる２００９年１１月２５日出願の「無線システムのためのＲＦ構成の自己発見」との名称の米国特許出願第１２／６２６，１０５号の一部継続出願である。出願第１２／６２６，１０５号は、全体が参照としてここに組み入れられる２００９年１０月７日出願の仮出願第６１／２４９，４３８号の優先権を主張する。
【背景技術】
【０００３】
無線マイクロホン受信器が同軸アンテナ分配システムに接続される場合が多い。複数の受信器は、典型的には分配増幅器に接続され、一連の同軸ケーブルを介してカスケード式に互いに接続することができる。当該受信器に割り当てられる周波数範囲は、イーサネット（登録商標）のようなネットワーク構築プロトコルによって制御することができる。分配増幅器及び関連付けられた受信器が異なるフィルタ帯域に設定されると、そのミスマッチは、悪化した又は動作不能のシステム性能を引き起こし得る。さらに、分配システムは、当該コンポーネントが正しく接続されていなければ適切に動作することができない。
【先行技術文献】
【特許文献】
【０００４】
【特許文献１】特表２０１３−５０７８３１号公報
【発明の概要】
【０００５】
本概要は、以下の詳細な説明においてさらに記載される概念の一選択肢を簡単な形態で紹介するべく与えられる。本概要は、本開示の重要な特徴又は本質的な特徴を特定することを意味するわけではない。
【０００６】
ＲＦ分配システム（例えば無線マイクロホン受信器、走査器、アンテナ分配システム、又は、ここに記載のコンポーネントのいくつか若しくはすべてを包含する任意のシステム）が、その構成を決定して当該決定された構成の一貫性を検証する。分配システムにおける第１のＲＦコンポーネントが第１のポートの信号を変調する。第２のＲＦコンポーネントが、変調された信号を第２のポートにおいて検出すると、プロセッサは、当該２つのＲＦコンポーネントが一緒に接続されたものとみなす。当該構成がプロセッサによって決定されると、当該ＲＦ分配システムはさらに、当該構成が一貫しているか否か（例えば、接続されたコンポーネントが同じ帯域で動作するか否か、及びすべてのコンポーネントが少なくとも一つの他のコンポーネントに接続されているか否か）を検証する。
【０００７】
本開示の他側面では、ＲＦ分配システムが、ＲＦ分配システムの第１のＲＦコンポーネントに生成信号を与えるように命令する。第２のＲＦコンポーネントからの指示が検出されると、ＲＦ分配システムは、第１のＲＦコンポーネントと第２のＲＦコンポーネントとが電気的に接続されたと決定する。この手順が残りのＲＦコンポーネントに対して繰り返される結果、ＲＦ分配システムのＲＦ構成を決定することができる。第１のＲＦコンポーネントは当該生成信号を、ＤＣ電圧レベルを変更することにより又はトーンにより変調することができる。
【０００８】
本開示の他側面では、ＲＦ分配システムは各ＲＦコンポーネントに対して個別に、各ＲＦコンポーネントのデバイス識別子に基づいて生成信号を与えるように命令することができる。デバイス識別子は、イーサネット、ＵＳＢ及びＺｉｇｂｅｅ（登録商標）を含むサポートされているプロトコルによってサポートされたアドレス指定を行うデバイスから取得される。
【０００９】
本開示の他側面では、決定されたＲＦ構成を、動作一貫性を目的として検証することができる。例えば、検証が可能とするのは、接続されたＲＦコンポーネントに対する帯域の一貫性を検証することと、当該ＲＦ分配システム内の各ＲＦコンポーネントが他のコンポーネントに接続されていることを検証することと、各ＲＦコンポーネントが、当該ＲＦコンポーネントがＲＦ構成の端点ではない場合に、先行するＲＦコンポーネント及び後続するＲＦコンポーネントに接続されていることを検証することである。
【００１０】
本開示の他側面では、ＲＦ分配システムは、ＲＦスペクトルを走査し、当該走査に基づいて当該ＲＦ分配システムとのＲＦ適合性を与える一組の周波数を決定し、及び、当該一組の周波数に従ってＲＦコンポーネントを構成する。
【００１１】
本開示の他側面では、ＲＦ分配システムは、無線周波数（ＲＦ）信号を複数の受信器に分配する。ポートが、アンテナから複数の受信器へのＲＦ接続を与える一方、当該受信器間のデータ接続を与える。検知器が、どの受信器が分配システムに接続されているのかを検出する結果、当該分配システムはデータを、第１の検出された受信器から他の検出された受信器へ、及び第１の検出された受信器へ戻るように引き回すことができる。分配システムは、受信器構成が変わると、引き回しを動的に変更することができる。
【００１２】
本開示の他側面では、受信器は、無線分配システムのＡポート及びＢポートを介して他の受信器へデータを送信することができる。Ａポートが第１のアンテナへのＲＦ接続を与える一方、Ｂポートが第２のアンテナへのＲＦ接続を与える。ＲＦ分配システムにより、ロック、ロック解除、ＲＦスペクトル走査、及び環境設定のための異なる指令を、複数の受信器間でＡポート及びＢポートを介して送信し合うことができる。
【図面の簡単な説明】
【００１３】
同じ参照番号が同じ特徴を示す添付図面を考慮して以下の説明を参照することによって、本発明の典型的な実施形態及びその利点のさらに完全な理解を得ることができる。
【００１４】
【図１】本発明の一典型的実施形態に係る無線システムをサポートする装置を示す。
【図２】本発明の一典型的実施形態に係る受信器のブロック図を示す。
【図３】本発明の一典型的実施形態に係る無線システムのためのＲＦ構成自己発見を行うためのフロー図を示す。
【図４】本発明の一典型的実施形態に係るＲＦ分配システムのためのＲＦ構成を示す。
【図５】本発明の一典型的実施形態に係る無線システムのためのＲＦ構成を示す。
【図６】本発明の一典型的実施形態に係る無線受信器に接続された分配増幅器のブロック図を示す。
【図７】本発明の一典型的実施形態に係る分配増幅器ユニット及び受信器ユニットのバックパネルを示す。
【図８】本実施形態の一側面に係る無線通信システムを示す。
【図９】本実施形態の一側面に係る検知構成受信器に基づく、複数ポート間の引き回しのためのブロック図を示す。
【図１０】本実施形態の一側面に係る無線通信システムの典型的な引き回し構成を示す。
【図１１】本実施形態の一側面に係る無線通信システムのための引き回し構成の一つの典型的な再引き回しを示す。
【図１２】本実施形態の一側面に係る無線通信システムのための検知された受信器構成へのネットワーク経路マッピングを示す。
【図１３】本実施形態の一側面に係る無線通信システムを拡張する一例を示す。
【図１４】本実施形態の一側面に係る無線通信システムを拡張する一例を示す。
【図１５】本実施形態の一側面に係る無線通信システムを示す。
【図１６】本実施形態の一側面に係る無線通信システムにおいて受信器をロックするためのフローチャートを示す。
【図１７】本実施形態の一側面に係る無線通信システムにおける走査工程のためのフローチャートを示す。
【図１８】本実施形態の一側面に係る無線通信システムにおいて複数受信器間でデータを送信し合うためのフローチャートを示す。
【図１９】本実施形態の一側面に係る無線通信システムにおいて携帯デバイスへのバックリンクを使用してＲＦスペクトルを走査する一例を示す。
【図２０】本実施形態の一側面に係る、受信器のいくつかがカスケード接続された無線通信システムのブロック図を示す。
【図２１】本実施形態の一側面に係る、カスケード接続された構成を介して複数の受信器間でデータを引き回す一例を示す。
【図２２】本実施形態の一側面に係るネットワーク構築機能のために出力電力コネクタにおいて直流（ＤＣ）レベルを変調する一例を示す。
【図２３】本実施形態の一側面に係るアンテナ結合器を介して送信器システムをネットワーク構築する一例を示す。
【図２４】本実施形態の一側面に係るＲＦ通信システムを示す。
【図２５】本実施形態の一側面に係るＲＦ通信システムを示す。
【発明を実施するための形態】
【００１５】
様々な典型的実施形態の以下の説明において、本明細書の一部をなす添付図面であって、本発明を実施することができる様々な実施形態が例示によって示される添付図面が参照される。本発明の範囲から逸脱することなく他の実施形態を利用すること、並びに構造的及び機能的修正がなされ得ることを理解するべきである。
【００１６】
本開示の複数の側面は、無線周波数（ＲＦ）分配システム（例えば、無線マイクロホン受信器、走査器、アンテナ分配システム、又はここに記載のいくつか若しくはすべてのコンポーネントを包含するいずれかのシステム）の構成を決定し、かつ、決定された構成の一貫性を検証することに関する。分配システムにおける第１のＲＦコンポーネントが、第１のポートの信号を変調する。第２のＲＦコンポーネントが変調された信号を第２のポートにおいて検出すると、プロセッサは、当該２つのＲＦコンポーネントが一緒に接続されたものとみなす。構成がプロセッサによって決定されると、本工程はさらに、当該構成が一貫しているか否か（例えば、接続されたコンポーネントが同じ帯域で動作するか否か、及びすべてのコンポーネントが少なくとも他のコンポーネントに接続されているか否か）を検証する。
【００１７】
図１は、本発明の一典型的実施形態に係る無線システムをサポートする装置を示す。マイクロホン受信器１０５、１０７、１０９及び１１１は、同軸アンテナ分配システムにおいて、分配増幅器１０３を介してアンテナ１０２に接続される。受信器１０５、１０７、１０９及び１１１並びに分配増幅器１０３はそれぞれ、例えばイーサネットのようなネットワーク構築プロトコルを介して、すなわちイーサネット接続１５３、１５５、１５７、１５９及び１５１を介してプロセッサ１０１によって制御され得る。図１は別個のイーサネット接続を示すが、イーサネット接続は、デイジーチェーン構成によってサポートされる場合が多い。ここで、イーサネット接続は、複数デバイスをチェーン接続して各デバイスに固有アドレスを割り当てることによって取得することができる。
【００１８】
分配増幅器１０３並びに関連付けられた受信器１０５、１０７、１０９及び１１１が異なる周波数範囲又は帯域（「帯域」と称することができる）に設定されると、ミスマッチが悪化した又は動作不能のシステム性能を引き起こし得る。駆動線増幅器及び受電アンテナでの使用を目的として、電圧源が、受信器１０５、１０７、１０９及び１１１のアンテナポート（例えば受信器１０５の入力ＲＦポート１７１）並びに分配増幅器１０３において提示され得る。プロセッサ１０１がイーサネット接続を介して特定の受信器に対して発行する所与のネットワークシステム指令による変調（例えばＯＮ／ＯＦＦ又は多重電圧レベル）の対象として、ＤＣ電圧を使用することができる。複数の実施形態では、ＤＣ電圧は、動作電圧レベル（例えば１２ボルト）と中間電圧レベル（例えば１０．５ボルト又は１３．５ボルト）との間で信号のＤＣ成分を変えることによって変調される。変調されたＤＣ電圧は、上流側受信器（例えば、受信器１０７がその入力ＲＦポートにおいて信号を変調している場合の出力ＲＦポート１７３）によって検出することができる。検出された受信器によって、イーサネットネットワークを経由して、これらのＲＦコンポーネント間のＲＦリンク（例えばＲＦ接続１６０、１６１、１６２、１６３又は１６５）が決定された（発見された）ことをシステムプロセッサ１０１に知らせるメッセージを送信することができる。複数のＲＦコンポーネントが異なる帯域にチューニングされて一緒に接続されると、ＲＦ分配システム１００は、表示デバイス１１５に指示を表示することができるシステムソフトウェアを介して、ミスマッチをユーザに知らせることができる。
【００１９】
他の実施形態は、信号を入力ＲＦポート１７１において、異なる態様で変調することができる。例えば、信号は、一以上のトーン又はシリアル／デュプレックスデータストリームによって変調することができる。
【００２０】
いくつかの実施形態は、（例えばＵＡＲＴによる）シンプレックス／デュプレックスデジタルデータストリーム、低速シンプレックスデータストリーム、又は単一パルス識別子（例えば、単一識別子ビットのみを備えた未フォーマットデータ）を利用して、ポート１７１の信号についての情報を送信することができる。
【００２１】
図１に示される実施形態では、受信器（例えば受信器１０５）が、その入力ＲＦポート（例えばポート１７１）において信号を変調する結果、先行する（上流側）ＲＦコンポーネント（受信器又は分配増幅器、例えば増幅器１０３）が、これらのコンポーネントがＲＦリンクを介して一緒に接続されるときに、当該変調された信号を検出する。しかしながら、他の実施形態では、ＲＦコンポーネントがその出力ＲＦポート（例えばポート１７３）において変調を行う結果、後続する（下流側）ＲＦコンポーネント（例えば受信器１０７）が、その入力ＲＦポートにおいて当該変調された信号を検出し得る。
【００２２】
ＲＦ分配システム１００はまた、受信器１０３、１０５、１０７及び１０９を、同じ帯域内の動作周波数が割り当てられるように自動的に構成することができる。この構成手順は、走査器１１７により単数又は複数の帯域が走査され、かつ、最高のＲＦ適合性を与える一組の周波数が決定された後に行うことができる。走査器１１７は、ＲＦリンク１６２を介して分配増幅器１０３からのＲＦスペクトルにアクセスし、かつ、イーサネット接続１５８を介して当該スペクトルについての情報をプロセッサ１０１に与える。その後、一緒にカスケード接続された複数の受信器（例えば受信器１０５及び１０７）が、同じ帯域に構成されて当該帯域内の別々のチャネルにプログラムされる。システム設定は、ユーザにとって、当該システム構成を決定し、明確な周波数を走査し、当該周波数帯域内における互換性のある周波数を計算し、及び、複数の受信器を当該計算された周波数（チャネル）に構成する一つの動作のように見える。
【００２３】
ＲＦ分配システム１００は、ＲＦコンポーネントがシステム１００に追加されるシステム初期化において又はシステム１００の動作中に、ＲＦ構成を決定することができる。システム１００は、ユーザからの入力に応答して、周期的に（例えば所定期間に一回）、又は自動的に（例えば、システムが初期化されたときに、又はＲＦコンポーネントがＲＦ分配システム１００に追加されたときに）構成され得る。
【００２４】
プロセッサ１０１は、ＲＦコンポーネントがその入力ＲＦポートにおいて信号を変調するように、イーサネットネットワークを経由して当該ＲＦコンポーネントにメッセージを送信することによって当該ＲＦコンポーネントに命令することができる。したがって、当該命令されたＲＦコンポーネントに接続されているＲＦコンポーネントは、イーサネットネットワークを経由して、当該変調された信号が検出されたことをプロセッサ１０１に知らせるメッセージをプロセッサ１０１に送信する必要がある。
【００２５】
プロセッサ１０１は、発見工程（ここに記載の工程のいずれか又はすべて）を行うべく、例えばメモリ１１３のようなコンピュータ可読媒体からのコンピュータ実行可能命令を実行することができる。いくつかの実施形態では、装置１１０はプロセッサ１０１及びメモリ１１３を含み得る。装置１１０は、一以上の特定用途向け集積回路（ＡＳＩＣ）、結合プログラム可能論理回路（ＣＰＬＤ）、フィールドプログラマブルゲートアレイ（ＦＰＧＡ）、又は他の集積回路を含み得る。コンピュータ記憶媒体は、コンピュータ可読命令、データ構造、プログラムモジュール又は他のデータのような情報を記憶するための任意の方法又は技術で実装された揮発性及び不揮発性の、取り外し可能及び取り外し不可能な媒体を含み得る。コンピュータ記憶媒体は、ランダムアクセスメモリ（ＲＡＭ）、読み取り専用メモリ（ＲＯＭ）、電子的消去可能プログラマブル読み出し専用メモリ（ＥＥＰＲＯＭ）、フラッシュメモリ若しくは他のメモリ技術、ＣＤ−ＲＯＭ、デジタル多用途ディスク（ＤＶＤ）若しくは他の光ディスクストレージ、磁気カセット、磁気テープ、磁気ディスクストレージ若しくは他の磁気記憶デバイス、又は、所望の情報の記憶が可能かつプロセッサ１０１によるアクセスが可能な任意の他の媒体を含むが、これらに限定されない。実行可能命令は、ここに記載の方法ステップのいずれか又はすべてを行うことができる。いくつかの実施形態では、装置１１０（例えばラップトップコンピュータ）が、図１に示される受信器、走査器及び分配増幅器の外部に存在し得る。他の実施形態では、装置１１０は、外部コンピュータが必ずしも必要とはされないように、各デバイス（例えば受信器１０５及び１０７並びに／又は分配増幅器１０３）に埋め込むことができる。
【００２６】
装置１００又は装置１００の複数部分は、ここに記載の実施形態の一以上のいずれかに関連して説明される動作を行うための命令を有する一以上の特定用途向け集積回路（ＡＳＩＣ）、結合プログラム可能論理回路（ＣＰＬＤ）、フィールドプログラマブルゲートアレイ（ＦＰＧＡ）又は他の集積回路として実装することができる。当該命令は、機械可読媒体に記憶されたソフトウェア及び／若しくはファームウェアの命令であり、並びに／又は、一以上の集積回路において及び／若しくは他の回路要素と組み合わされた一以上の集積回路において一連の論理ゲート及び／若しくは状態機械回路としてハードコード化され得る。
【００２７】
図２は、本発明の一典型的実施形態に係る受信器１０５のブロック図を示す。受信器１０５は、（メッセージ２５１に対応して）プロセッサ２０１による命令を、イーサネット接続１５３を介して受けると、入力ＲＦポート１７１において当該信号を変調する。当該信号を変調するべく電源変調ハードウェア２０１が電源２０３の電圧レベルを変える。ＲＦチョーク２０５が電源２０３を、ＲＦ回路２０６によって処理されるＲＦ信号成分から隔離する。上流側受信器（図示せず）は、当該変調された信号を検出する必要がある。
【００２８】
受信器１０５はまた、下流側受信器（図示せず）からの変調された信号を検出する検出回路も含む。検出器２０９は、変調された信号を、出力ＲＦポート１７３を介して検出するべく、当該変調された信号におけるＤＣ電圧の遷移を検出し、その発生を、イーサネット接続１５３を介して（メッセージ２５３に対応して）プロセッサ２０１に報告する。ＲＦチョーク２０７は、ＲＦカスケード回路２０８がＲＦ信号を下流側受信器に与えるときに、検出器２０９に対してＲＦ隔離を与える。検出器２０９は、スロープ検出器又はアナログ・デジタル変換器（ＡＤＣ）を含む異なる形態をとり得る。
【００２９】
図３は、本発明の一典型的実施形態に係るＲＦ分配システム１００のためのＲＦ構成自己発見を行うフロー図３００を示す。ブロック３０１において、工程３００が、複数のＲＦエンティティ（例えば受信器、分配増幅器及び走査器）のすべての試験が完了したか否かを決定する。否の場合、次のＲＦエンティティがブロック３０３において決定される。いくつかの実施形態では、次のＲＦエンティティは、割り当てられた媒体アクセス制御（ＭＡＣ）アドレスから決定される。次のＲＦエンティティは、異なる基準によって、ＭＡＣをランダムに選択することによって、又はＭＡＣアドレスを所定順序で選択することによって、選択することができる。いくつかの実施形態では、ＭＡＣアドレスのランダムな選択は、疑似ランダム工程によって近似することができる。
【００３０】
上述のように、ＭＡＣアドレス指定の使用はデバイス識別子として役立つ。しかしながら、他の実施形態は、他の形態のデバイス固有識別子を使用することができる。例えば、いくつかの実施形態は、イーサネットとは異なるプロトコル（例えばＵＳＢ又はＺｉｇｂｅｅ）もサポートすることができる。
【００３１】
ブロック３０５において、プロセッサ１０１は、選択されたＲＦエンティティに対してその入力ＲＦポートにおいて信号を変調するように命令する。ブロック３０７、３０９及び３１１において、上流側ＲＦエンティティは、当該命令を受けたＲＦエンティティが、アンテナ（例えばアンテナ１０２）に接続された分配増幅器（例えば図１に示す分配増幅器１０３）である場合を除き、当該変調された信号を検出かつ報告する必要がある。または、いずれのＲＦエンティティ（コンポーネント）も当該変調された信号を検出しない場合、構成エラー指示がプロセッサ１０１によって生成され得る。
【００３２】
工程３００の結果は、ＲＦ分配システム１００の線図を表示デバイス１１５（図１に示す）に表示することができるさらなる処理と併せて使用することができる。この線図は、当該ＲＦエンティティ間のハードウェア接続を含み、さらには、ＲＦ構成にエラーが存在するか否か（例えば、異なる帯域の２つの受信器が接続されている場合、又は受信器が分配増幅器若しくは他の受信器に接続されていない場合）を指示することができる。この分析は、正しいシステム接続の確認を容易とすることにより、破損したＲＦケーブルを検出することができる。
【００３３】
図４は、本発明の一典型的実施形態に係る無線システムのためのＲＦ構成４００を示す。一典型的実施形態では、帯域Ｈ、Ｊ、Ｋ及びＬはそれぞれ、４７０〜５１８ＭＨｚ、５１８〜５７８ＭＨｚ、５７８〜６３８ＭＨｚ及び６３８〜６９８ＭＨｚに対応する。分配増幅器の出力は、当該４つの帯域の一つに、又は広帯域動作に、すなわち出力が４７０〜６９８ＭＨｚの全範囲にわたるように設定することができる。図６を参照すると、分配増幅器６０５のために示すフィルタ帯域Ａ、Ｂ、Ｃ及びＤは、図４に示すフィルタ帯域Ｈ、Ｊ、Ｋ及びＬに対応する。分配増幅器４０１は、すべてのフィルタ帯域（４７０〜６９８ＭＨｚ）を通過するべく構成される。分配増幅器４０２、４１４、４１５及び４１６（Ｈ−０、Ｊ−０、Ｋ−０及びＬ−０それぞれ）が、上述した４７０〜６９８ＭＨｚのサブ帯域に設定される。無線マイクロホン受信器（例えば受信器４０４〜４１３）、アンテナ分配増幅器（例えば増幅器４０１及び４０２）及び走査器（図５に示す走査器５０３）は、アンテナ入力ポートに存在する１２〜１５ＶＤＣ信号成分を有する。ＤＣ電圧は典型的に、駆動線増幅器及び受電アンテナに使用される。いくつかの実施形態では、ＲＦループスルー（カスケード）ポートは、利用可能なＤＣ電圧源を有しない場合がある。アンテナポートにおけるＤＣ電圧は、システム設定中にネットワーク指令によって（その動作電圧を変調するべく）トグルオフ及びトグルオンすることができる。複数の受信器がカスケード接続されていれば、受信器のアンテナポートからのＤＣ電圧は、先行する受信器のループスルーポートに提示される。ＲＦループスルーポートは、ＤＣの存在及び変調を検知することができるので、ＲＦ接続チェーン構成の指示となり得る。
【００３４】
例えば、受信器（Ｈ−２）４０５の入力アンテナポート上のＤＣがトグルオフ及びトグルオンされると、変調された信号は、受信器（Ｈ−１）４０４のループスルーポートによって検知されてネットワークへと報告される。報告された指示はプロセッサ１０１に対し、受信器４０５及び４０４がＲＦ接続４６１を共有しており同じフィルタ帯域内で動作する必要があることを知らせる。同様にして、ネットワークにおける受信器及び分配増幅器それぞれが、一つずつトグルされたポートを有する。ＤＣレベルの変化が他のＲＦエンティティによって検知されない場合、トグルされたエンティティは、当該チェーンのアンテナ端（分配増幅器４０１に対応）に存在すると仮定される。ダイバーシティシステムにおいては、変化が一つのアンテナポートによってのみ検知された場合にＲＦケーブルの破損又は喪失が検出される。
【００３５】
メッセージは、コンピュータネットワークを経由して、ＲＦ接続の構成を指示する報告をし、破損したＲＦケーブルについての警告を発行することができる。一緒にチェーン接続された複数の受信器は、同じ周波数帯域に設定される必要がある。当該受信器のＲＦ信号は、当該チェーンにおける第１の受信器により当該帯域に対してフィルタ済みとなっているからである。分配増幅器が帯域選択された場合、当該分配増幅器によるサービスを受ける各受信器は、当該選択された帯域内の周波数に設定される必要がある。分配増幅器（例えば図４に示す増幅器４０１）もまた、（図６の分配増幅器６０５に示す帯域Ａ、Ｂ、Ｃ及びＤ内のすべての信号を同時に通過させる）広帯域動作に設定される必要がある。カスケード接続された分配増幅器（例えば増幅器４０２）はそれぞれ、別個に帯域選択されて、４つの受信器チェーンをサポートすることができる。ここで、各チェーンは同じ周波数帯域に関連付けられる。
【００３６】
アンテナ分配増幅器のループスルーもまた、広帯域走査器（図４には明示的に示さないが図５とともに述べる）をサポートするべく、広帯域動作に設定することができる。
【００３７】
いくつかの実施形態では、分配増幅器（例えば増幅器４０１及び４０２）は、ＲＦ分配システム１００がサポート可能な受信器の数を増大させるべく、カスケード接続され得る。いくつかの実施形態では、第２の分配増幅器（例えば増幅器４０２）の利得は典型的に、１に設定されている。
【００３８】
図５は、本発明の一典型的実施形態に係る無線システムのためのＲＦ構成５００を示す。構成は走査器５０３を利用する。走査器５０３は、アンテナ５０４から入力されて分配増幅器５０１及びＲＦ接続５６１を介する入力信号の周波数スペクトルを走査する。分配増幅器５０１は、フィルタ済み出力（例えば図６に示す出力６５１に対応する）及び未フィルタ出力（例えば出力６５９に対応する）の双方を与える。走査器５０３は、上述のように、接続５６１を介する未フィルタ出力を分析してその結果をプロセッサ１０１（図１に示す）に報告する。
【００３９】
分配増幅器５０１は、分配増幅器５０２に対してカスケード接続される。分配増幅器５０２は、（例えば接続５６３を介する受信器５０５への）フィルタ済み信号及び（例えば接続５６５を介する受信器５０６への）未フィルタ信号を与える。
【００４０】
図６は、本発明の一典型的実施形態に係る受信器ユニット６０７、６０９、６１１、６１３、６１５及び６１７に接続された分配増幅器６０５のブロック図を示す。分配増幅器６０５は、ダイバーシティ受信をサポートするべく、アンテナ６０１及び６０３を介して信号を受信してフィルタ済みＲＦ出力を各受信器に与える。例えば、受信器ユニット６０７（受信器１及び２を含む）には、ＲＦ接続６５１及び６５３を介して２つのＲＦ入力信号が与えられる。いくつかの実施形態では、受信器１及び２は、受信器ユニット６０７内で内部的にカスケード接続されて同じ周波数帯域に設定される。他の実施形態では、受信器１及び２は、同軸ケーブルを介して外部的にカスケード接続され得る。受信器ユニット６０９は、ＲＦ接続６５５及び６５７を介して受信器ユニット６０７にカスケード接続される。受信器ユニット６１１は、受信器ユニット６０９から、さらにカスケード接続される。
【００４１】
上述のように、分配増幅器６０５はまた、追加の受信器又は走査器をサポートするべく、接続６５９及び６６１を介する未フィルタＲＦ信号も与える。
【００４２】
図７は、本発明の一典型的実施形態に係る分配増幅器ユニット６０５及び受信器ユニット６０７それぞれに対するバックパネル７０１及び７０３を示す。図７は一つの分配増幅器ユニット及び一つの受信器ユニットを示すのみであるが、複数の分配増幅器ユニット及び受信器を、当該ユニットを一以上のラックに積層可能なシステム１００に構成することができる。例えば、いくつかの典型的な構成が、１００を超えるチャネル、ひいては５０を超える二重チャネル受信器ユニットをサポートすることができる。
【００４３】
ＲＦダイバーシティを与えるべく、２つのアンテナを、バックパネル７０１のＢＮＣコネクタ７１３及び７１４に接続することができる。フィルタ済みＲＦ出力（ダイバーシティペアをサポートしてＢＮＣコネクタ７０５及び７０９、７０６及び７１０、７０７及び７１１並びに７０８及び７１２に対応）及び未フィルタＲＦ出力（ＢＮＣコネクタ７１５及び７１６に対応）の双方を、同軸ケーブルを介して受信器ユニットに接続することができる。
【００４４】
バックパネル７０３は、イーサネット接続が、コネクタ７２１及び７２２を介するデイジーチェーン接続によって確立される２つの受信器（チャネル）に対応する。ダイバーシティ入力ＲＦ信号が、ＢＮＣコネクタ７１７及び７１８を介して与えられ、かつ、ＢＮＣコネクタ７１９及び７２０を介して他の受信器ユニットにカスケード接続される。
【００４５】
典型的実施形態は以下のとおりである。
【００４６】
方法（例えばＲＦ分配システム）は、以下の側面の一以上を、組み合わせで含む。
●第１のＲＦコンポーネント（例えば第１の無線受信器）に対して当該第１のＲＦコンポーネントの第１のポートにおいて信号を変調するように命令すること。
○ＲＦ入力ポートにおいて（例えばオン／オフの、又は動作電圧レベル及び中間電圧レベル間で）ＤＣ電圧を変えることによって信号を変調すること。
○トーン
○シリアルデータ（シンプレックス又はデュプレックス）により信号を変調すること。
●第２のＲＦコンポーネント（例えば第２の無線受信器）から、変調された信号が、第２のＲＦコンポーネントの第２のポートにおいて検出されたとの指示を受信すること。
○変調された信号を、第２のＲＦコンポーネントの、カスケード接続されたＲＦ出力ポートにおいて検出すること。
●ＲＦ構成が決定されるように、残りのＲＦコンポーネントシステムに対して当該命令を繰り返すこと。
○ＭＡＣアドレスに基づいて次のＲＦコンポーネントを決定すること。
●決定されたシステム構成を、動作一貫性を目的として検証すること。
○接続されたＲＦコンポーネントに対する帯域の一貫性を検証すること。
○一のコンポーネントが他のコンポーネントに接続されたことを検証すること。
【００４７】
装置（例えばＲＦ分配システム）は、以下の側面の一以上を、組み合わせで含む。
●装置に対して以下のことをさせるべく構成されたプロセッサ（並びに随意的にメモリ及び通信インタフェイス）。
○第１のＲＦコンポーネント（例えば第１の無線受信器）に対して当該第１のＲＦコンポーネントの第１のポートにおいて信号を変調するように命令すること。
●ＲＦ入力ポートにおいて（例えばオン／オフの、又は動作電圧レベル及び中間電圧レベル間で）ＤＣ電圧を変えることによって信号を変調すること。
●トーン
●シリアルデータ（シンプレックス又はデュプレックス）により信号を変調すること。
○第２のＲＦコンポーネント（例えば第２の無線受信器）から、変調された信号が、第２のＲＦコンポーネントの第２のポートにおいて検出されたとの指示を受信すること。
●変調された信号を、第２のＲＦコンポーネントの、カスケード接続されたＲＦ出力ポートにおいて検出すること。により信号を変調すること。により信号を変調すること。
○ＲＦ構成が決定されるように、残りのＲＦコンポーネントシステムに対して当該命令を繰り返すこと。
●ＭＡＣアドレスに基づいて次のＲＦコンポーネントを決定すること。
○決定されたシステム構成を、動作一貫性を目的として検証すること。
●接続されたＲＦコンポーネントに対する帯域の一貫性を検証すること。
●一のコンポーネントが他のコンポーネントに接続されたことを検証すること。
【００４８】
コンピュータ可読媒体は、装置（例えばＲＦ分配システム）に、以下の側面の一以上を、組み合わせで行わせるコンピュータ可読命令を包含する。
●第１のＲＦコンポーネント（例えば第１の無線受信器）に対して当該第１のＲＦコンポーネントの第１のポートにおいて信号を変調するように命令すること。
○ＲＦ入力ポートにおいて（例えばオン／オフの、又は動作電圧レベル及び中間電圧レベル間で）ＤＣ電圧を変えることによって信号を変調すること。
○トーン
○シリアルデータ（シンプレックス又はデュプレックス）により信号を変調すること。
●第２のＲＦコンポーネント（例えば第２の無線受信器）から、変調された信号が、第２のＲＦコンポーネントの第２のポートにおいて検出されたとの指示を受信すること。
○変調された信号を、第２のＲＦコンポーネントの、カスケード接続されたＲＦ出力ポートにおいて検出すること。
●ＲＦ構成が決定されるように、残りのＲＦコンポーネントシステムに対して当該命令を繰り返すこと。
○ＭＡＣアドレスに基づいて次のＲＦコンポーネントを決定すること。
●決定されたシステム構成を、動作一貫性を目的として検証すること。
○接続されたＲＦコンポーネントに対する帯域の一貫性を検証すること。
○一のコンポーネントが他のコンポーネントに接続されたことを検証すること。
【００４９】
いくつかの実施形態では、データは、通信システムの複数のエンティティ間で、例えば無線周波数（ＲＦ）信号の分配又は直流（ＤＣ）電力の供給のような他の目的のためにも使用される経路を経由して転送することができる。したがって、例えば図１に示すイーサネット接続１５３のような別個のデータ接続を迂回することができる。図８〜２３は、このアプローチを例示するいくつかの実施形態を示す。
【００５０】
図１６〜１８について説明されるように、通信システムの複数のエンティティは、当該通信システムを構成するべく、当該経路を経由して（例えばメッセージを包含する）データを他のエンティティに送信することができる。例えば、ＲＦ分配システムにおける受信器は、ＲＦスペクトルを走査してその結果を他の受信器に送信することができる。その結果、当該受信器はそれぞれ、その動作周波数を、最高のＲＦ適合性のための一組の周波数から構成することができる。
【００５１】
図８は、本実施形態の一側面に係る無線通信システムを示す。通信システムは、エンターテインメント会場のための複数の無線マイクロホンをサポートし得る分配システム８０１及び受信器８０２〜８０５を含む。加えて、本開示のいくつかの実施形態は、無線携帯デバイスと相互作用する基地局を含む無線電話用通信システムをサポートすることができる。
【００５２】
従来型システムにとって、無線マイクロホンに対する設定工程は、手作業の手順又は従来型ネットワーク構築プロトコル（すなわちイーサネット等）のいずれかを必要とするのが典型的である。本開示の一側面によれば、ネットワーク構築機能を与えるべく、ＲＦ接続が分配システム８０１において利用される。一実施形態の特徴集合は、ＲＦスペクトル走査を行った後の最適な構成の自動的展開を含む。複数の制御のロックのような他の構成設定も展開することができる。さらに、本開示の一側面によれば、分配システム８０１によって必要とされる以上の追加の接続が不要となる。
【００５３】
受信器８０２〜８０５のそれぞれは、アンテナ８２０及び８２１経由でアンテナ分割器８２２及び８２３それぞれを介して受信されたＲＦ信号に対し、所望の周波数で動作するべく構成される。分配システム８０１は、アンテナ８２０及び８２１（ダイバーシティブランチに対応する各アンテナ）を使用して、単一のアンテナよりもロバストな受信を与えるのが典型的なダイバーシティ受信を与える。
【００５４】
受信器８０２〜８０５のそれぞれは、Ａポート８０６、８０８、８１０及び８１２それぞれを経由してアンテナ８２０から、並びにＢポート８０７、８０９、８１１及び８１３それぞれを経由してアンテナ８２１からＲＦ信号を受信する。
【００５５】
本開示の一側面によれば、ＲＦ信号の分配に加え、データは、論理モジュール８１５によって制御されるネットワークアレイ８１４を介したＡポート８０６、８０８、８１０及び８１２並びにＢポート８０７、８０９、８１１及び８１３を経由して、受信器８０２〜８０５及び分配システム８０１間で転送することができる。データは、検知器８１６〜８１９それぞれからの検出指示８５１〜８５４に基づいて、分配システム８０１に接続された構成済み受信器を検出することによってネットワークアレイ８１４を介して引き回すことができる。論理モジュール８１５はその後、検出指示８５１〜８５４を処理して、受信器８０２〜８０５間でのデータ引き回しを制御するべく引き回し制御信号８５５を取得することができる。引き回し制御の一例を図１２に示す。これは、後にさらに詳述されるように、検知された受信器１２０１をネットワーク経路１２０２にマッピングする。
【００５６】
本開示の一実施形態では、ネットワークアレイ８１４及び論理モジュール８１５は、マイクロコントローラユニット（ＭＣＵ）並びに／又はマルチプレクサ及びトランジスタのアレイのような離散型論理デバイスのようなプロセッサを含み得る。論理モジュール８１５は、制御信号８５５をネットワークアレイ８１４に送信する。
【００５７】
本開示の一側面では、データは、システム構成に基づいて同軸アンテナポート（ポート８０６〜８１３に対応）を介して引き回される。処理は分配システム８０１において行われ、処理されたデータはその後、受信器８０２〜８０５に送信され得る。さらに、処理は、受信器８０２〜８０５の一つにおいて行われた後に、分配システム８０１を介して他の受信器８０２〜８０５すべてに引き回され得る。
【００５８】
本開示の一側面によれば、データ信号は、上述のアプローチによるデータ変調（例えばＤＣ成分又はトーンを変調すること）によって、ポート８０６〜８１３を介したＲＦ信号に付随される。
【００５９】
本開示の一側面によれば、データは、各Ａポートから適切なＢポートへ引き回されるが、当該引き回しは、受信器構成が変わる場合にユーザの介入なしで接続構成を補償するべく、動的に調整することができる。
【００６０】
図８に示す実施形態が４つの、分配システム８０１に接続された受信器８０２〜８０５を示すが、複数の実施形態は、４以外の異なる数の受信器をサポートすることができる。加えて、さらに詳述するように、サポートされる受信器の数は、複数の分配システムを一緒に接続することによって拡張することができる。
【００６１】
さらに、図８に示す実施形態は、分配システム８０１に接続された構成済み受信器８０２〜８０５を示すが、本開示の複数の実施形態は、他のタイプのエンティティをサポートすることができる。例えば、通信システムは、複数送信器からの複数ＲＦポートを介した複数ＲＦ信号を組み合わせることができるので、これらのＲＦポートを、接続された複数送信器間のデータ接続を目的として使用することができる。
【００６２】
図９は、本実施形態の一側面に係る検知構成受信器に基づく、複数ポート間の引き回しのためのブロック図を示す。受信器８０２〜８０５（図８に示す）間のデータ送信は、構成検出モジュール９１３からの制御信号９５２に基づいて、引き回しモジュール９１４を介してＡポート９０１〜９０４から、対応するＢポート９０５〜９０８へ送信される。
【００６３】
本開示のいくつかの実施形態では、受信器が、対応するＡポートに接続されているか否かを、検知モジュール９０９〜９１２が、ＲＦ信号に重畳されたデータ信号が存在するか否かを決定することによって決定する。例えば、受信器がデータスタンバイ状態にある場合、そのＡポートには論理高レベルが存在する。この信号は、検知モジュール９０９〜９１２によって検出される。検知モジュール９０９〜９１２は、制御信号９５２を生成するべく、指示信号９５１を構成検出モジュール９１３に与える。引き回しモジュール９１４は、Ａポート９０１〜９０４から対応するＢポート９０５〜９０８（図１２に例示）までの経路を、制御信号９５２に従って構成する。
【００６４】
図１０は、本実施形態の一側面に係る無線通信システムの典型的な引き回し構成１０００を示す。受信器１０１０、１０１１、１０１２及び１０１３が、ＲＦケーブル１０５１、１０５３、１０５４、１０５６、１０５７、１０５９、１０６０及び１０６２（典型的にはＢＮＣ、ＳＭＡ等）によって分配システム１００１に、Ａポート１００２〜１００５及びＢポート１００６〜１００９を経由して接続される。経路１０５２、１０５５、１０５８及び１０６１は、分配システム１００１内において、ネットワーク（例えば図８に示すネットワークアレイ８１４又は図９に示す引き回しモジュール９１４）を介するように確立され得る。
【００６５】
受信器１０１０からの、他の受信器１０１１〜１０１３とのデータ送信は、１０５１→１０５２→１０５３→１０５４→１０５５→１０５６→１０５７→１０５８→１０５９→１０６０→１０６１→１０６２を介するように確立される。この経路は、図１２の、検出された受信器の指示が「１１１１」に等しい項目に示すＲＸ１→ＲＸ２→ＲＸ３→ＲＸ４→ＲＸ１に対応する。この例では、受信器１０１０は、主デバイスとして機能することができる。主デバイスにおいては、指令データ（例えば図１６〜１７に関して述べるロック、ロック解除及び走査）が生成されて他の受信器１０１１〜１０１３に渡される。システムにおける任意のデバイスではなく単一のデバイスのみによってネットワーク通信が開始されるように、主デバイスを指定することができる。このアプローチは、ユーザインタフェイスの観点から望ましく、設計上のコスト又は複雑性を最小化することができる。しかしながら、本開示のいくつかの実施形態は、システムにおける任意の受信器デバイスを主デバイスとして機能させることもできる。
【００６６】
図１１は、本実施形態の一側面に係る無線通信システムの引き回し構成１１００の一つの典型的な再引き回しを示す。受信器１０１０、１０１２及び１０１３（すなわち受信器１０１１が構成されていない）が、ＲＦケーブル１１５１、１１５３、１１５４、１１５６、１１５７及び１１５９によって分配システム１００１に、Ａポート１００２、１００４及び１００５並びにＢポート１００６、１００８及び１００９を経由して接続される。経路１１５２、１１５５及び１１５８は、分配システム１００１内において、ネットワーク（例えば図８に示すネットワークアレイ８１４又は図９に示す引き回しモジュール９１４）を介するように確立され得る。
【００６７】
受信器１０１０からの、他の受信器１０１２〜１０１３とのデータ送信は、経路１１５１→１１５２→１１５３→１１５４→１１５５→１１５６→１１５７→１１５８→１１５９を介するように確立される。この経路は、図１２の、検出された受信器の指示が「１０１１」に等しい項目に示すＲＸ１→ＲＸ３→ＲＸ４→ＲＸ１に対応する。図１２は、分配システム１００１に対して受信器１０１０〜１０１３を構成するすべての可能性を含む。
【００６８】
本開示の一側面によれば、受信器構成は、静的であり（この場合、受信器構成は初期設定後変わらない）、又は動的である（この場合、受信器構成は初期設定後に変わる）。動的構成により、論理モジュール８１５（図８に示す）は連続的に検知器８１６〜８１９をモニタし、それに対応して制御信号８５５を修正する。
【００６９】
図１３は、本実施形態の一側面に係る無線通信システムを拡張する一例を示す。単数の分配システムと互換性のある受信器の数を超えてシステムを拡張するべく、複数の分配システムを一緒にデイジーチェーン接続することができる。デイジーチェーン接続は、固有の設計を使用して達成することができる。この場合、一組のケーブルが各システム間で交換される。図１３を参照すると、分配システム１３０１を追加してＲＦケーブル１３５１を受信器１０１３から分配システム１３０１に及びＲＦケーブル１３５２を受信器１３０７から分配システム１００１に接続することによって、追加の受信器１３０７〜１３１０が受け入れられる。
【００７０】
図１４は、本実施形態の一側面に係る無線通信システムを拡張する一例を示す。別個のデイジーチェーンリンク１４５１によって、分配システム１４０１が分配システム１００１に接続される。リンク１４５１によって双方向データ接続が得られるので、分配システム１００１の適切なＡポートが分配システム１４０１の適切なＢポートに、及び分配システム１４０２の適切なＡポートが分配システム１００１の適切なＢポートに拡張される。リンク１４５１からの及びリンク１４５１への引き回しは、上述したものと同様にして、複数受信器の構成に基づいて動的に割り当てられる。
【００７１】
図１５は、本実施形態の一側面に係る無線通信システムを示す。受信器１５０２及び１５０３は、図８に関するものと同様にして、Ａポート及びＢポートを介して分配システム１５０１に接続される。例えば、受信器１５０２は、Ａポート１５０４及びＢポート１５０５を介して分配システム１５０１に接続される。アンテナ１５１１（受信器１５０２に対する第１のダイバーシティブランチに対応）からＡポート１５０４へのＲＦ接続は、アンテナ分割器１５１３及び経路１５５１によってサポートされる。同様に、アンテナ１５１２（受信器１５０２に対する第２のダイバーシティブランチに対応）からＢポート１５０５へのＲＦ接続は、アンテナ分割器１５１４及び経路１５５２によってサポートされる。
【００７２】
分配システム１５０１において、Ａポート１５０４からプロセッサ１５１６へのデータ接続は、（ＲＦ接続をブロックする）ＲＦチョーク１５０６及び経路１５５３によってサポートされ、かつ、Ｂポート１５０５へのデータ接続は、ＲＦチョーク１５０７及び経路１５５４によってサポートされる。受信器１５０２におけるＡポートへのデータ接続はプロセッサ１５０８から経路１５５５及び１５５６を介して、及びＢポートへのデータ接続はプロセッサ１５０８へ経路１５５７及び１５５８を介して与えられる。
【００７３】
本開示の一側面では、プロトコルモジュール（例えばモジュール１５０９）は、受信器１５０２及び１５０３並びに／又は分配システム１５０１に追加可能な代替的ネットワーク構築プロトコル（イーサネット、ＷｉＦｉ（登録商標）、Ｚｉｇｂｅｅ、Ｂｌｕｅｔｏｏｔｈ（登録商標）等）をサポートすることができる。この追加の機能は、ここに記載のＡポート及びＢポートを介して与えられるデータ接続と連動して無視し又は作動させることができる。
【００７４】
受信器１５０２及び１５０３はまた、最高のＲＦ適合性を与える一組の周波数を決定するべくＲＦスペクトルを走査する走査器（例えば走査器１５１０）を含み得る。この操作性能は、図１７に関してさらに述べる走査工程をサポートするべく使用することができる。
【００７５】
プロセッサ１５０８、１５１６、及び１５１８はそれぞれ、ここに記載の工程のいずれか又はすべてを行うべく、例えばメモリ１５１５、１５１７及び１５１９のようなコンピュータ可読媒体からのコンピュータ実行可能命令を実行することができる。受信器１５０２及び１５０３並びに分配システム１５０１は、一以上の特定用途向け集積回路（ＡＳＩＣ）、結合プログラム可能論理回路（ＣＰＬＤ）、フィールドプログラマブルゲートアレイ（ＦＰＧＡ）、又は他の集積回路を含み得る。コンピュータ記憶媒体は、コンピュータ可読命令、データ構造、プログラムモジュール又は他のデータのような情報を記憶するための任意の方法又は技術で実装された揮発性及び不揮発性の取り外し可能及び取り外し不可能な媒体を含み得る。コンピュータ記憶媒体は、ランダムアクセスメモリ（ＲＡＭ）、読み取り専用メモリ（ＲＯＭ）、電子的消去可能プログラマブル読み出し専用メモリＥＥＰＲＯＭ）、フラッシュメモリ若しくは他のメモリ技術、ＣＤ−ＲＯＭ、デジタル多用途ディスク（ＤＶＤ）若しくは他の光ディスクストレージ、磁気カセット、磁気テープ、磁気ディスクストレージ若しくは他の磁気記憶デバイス、又は、所望の情報の記憶が可能かつプロセッサ１５０８、１５１６及び１５１８によるアクセスが可能な任意の他の媒体を含むが、これらに限定されない。実行可能命令は、ここに記載の方法ステップのいずれか又はすべてを行うことができる。
【００７６】
受信器１５０２及び１５０３並びに分配システム１５０１又はこれらの部分は、ここに記載の実施形態の一以上のいずれかに関連して説明される動作を行うための命令を有する一以上の特定用途向け集積回路（ＡＳＩＣ）、結合プログラム可能論理回路（ＣＰＬＤ）、フィールドプログラマブルゲートアレイ（ＦＰＧＡ）又は他の集積回路として実装することができる。当該命令は、機械可読媒体に記憶されたソフトウェア及び／若しくはファームウェアの命令であり、並びに／又は、一以上の集積回路において及び／若しくは他の回路要素と組み合わされた一以上の集積回路において一連の論理ゲート及び／若しくは状態機械回路としてハードコード化され得る。
【００７７】
図１６〜１８は、構成済み受信器の一以上が、（制御／指令メッセージとしてフォーマットされ得る）データを他の複数受信器に送信することができる工程を示す。本開示の一側面によれば、複数受信器の一つが主受信器として指定される。かかる場合、主受信器のみが、ロック／ロック解除メッセージのような指令メッセージを生成することができるか又はＲＦスペクトルを走査して複数受信器のチャネル設定を構成することができる。
【００７８】
本開示の一側面によれば、引き回されたデータは指令メッセージへとフォーマットされ得る。指令メッセージは、指令タイプ、発信元デバイス識別子、宛名デバイス識別子及び指令情報を含み得る。いくつかの実施形態では、発信元デバイス識別子及び／又は宛名デバイス識別子は含まれないこともある。かかる場合、メッセージを受信するすべての受信器が当該指令を実行する必要がある。
【００７９】
図１６は、本実施形態の一側面に係る無線通信システムにおいて受信器をロック／ロック解除するためのフローチャート１６００を示す。設定（例えば受信器１５０２及び１５０３の周波数、利得レベル及びスケルチしきい値）は、当該受信器の一以上におけるユーザ入力に従ってロック又はロック解除することができる。例えば、ユーザは、構成済み受信器（例えば図８に示す受信器８０２）においてロック又はロック解除を選択することができる。受信器は、接続された分配システムのＡポート及びＢポートを介してロック又はロック解除メッセージを他の複数受信器に送信し、当該設定のロック又はロック解除について当該他の複数受信器に知らせることができる。アクセサリ（例えば遠隔アンテナ）及び／又は補足的なユーザインタフェイス要素（例えばフロントパネルディスプレイ、ネットワーク接続されたデバイスのソフトウェアプログラム）を利用及び／又は制御することができる。
【００８０】
フローチャート１６００を参照すると、ブロック８０１においてユーザは、ロック／ロック解除指示を与えることによって、例えば図８に示す受信器８０２のような受信器をロックし又はロック解除する。例えば、ユーザは、受信器のパネル上の、ロック状態及びロック解除状態間でトグルするロック／ロック解除押しボタンを押すことができる。ブロック１６０２においてロック／ロック解除状態が変わると、受信器は、対応するメッセージを生成する。当該メッセージは、ブロック１６０３において、上述の態様でＡポート及びＢポートを介して他の複数受信器へと送信される。当該他の複数受信器は、当該メッセージに従ってロック／ロック解除状態を変えることができる。
【００８１】
図１７は、本実施形態の一側面に係る無線通信システムにおける走査工程のためのフローチャート１７００を示す。ブロック１７０１において、ユーザは、システム内の任意の受信器に対し、例えば当該受信器のパネル上の走査押しボタンを押すことによって、グループ走査を開始する。したがって、ブロック１７０２において、当該受信器は（例えば図１５に示す走査器１５１０により）ＲＦスペクトルを走査し、最も開放されたグループ周波数を決定し、その後、最高の利用可能性に基づいて周波数チャネルを分類する。走査は、ブロック１７０３においてユーザが走査押しボタンを再び押すと、ブロック１７０６においてキャンセルすることができる。
【００８２】
走査がキャンセルされない場合、開始受信器は、ブロック１７０４において当該走査を完了し、得られた構成データをブロック１７０５において他の複数受信器に引き渡す。その結果、当該複数受信器は、同じグループに設定され、降順ＲＦ利用可能性に基づいてチャネル割り当てを順次展開する。このようにしてシステムは、最善の動作チャネルに対して最適に構成される。最適化はＲＦスペクトル利用可能性に基づき得るので、所与のチャネルでの検出されたＲＦノイズ又は干渉が高ければ高いほど、当該チャネルに対する展開優先順位が低くなる。
【００８３】
複数受信器は、多重帯域又は多重プロダクトネットワークを認識し、それに従って動作することができる。例えば、グループ／チャネル展開は、非マッチング帯域／プロダクトに対してスキップすることができるが、ロック／ロック解除指令は、多重帯域／プロダクト全体に適応させることができる。
【００８４】
図１８は、本実施形態の一側面に係る無線通信システムにおいて複数受信器間でデータを送信し合うためのフローチャート１８００を示す。受信器は、ブロック１８０１においてデータを受信し、当該データが、当該受信器の識別子にマッチングする識別子を包含するか否かをブロック１８０２において決定する。包含するのであれば、データが処理されて当該データの他の複数受信器への引き渡しがブロック１８０３において終了する。
【００８５】
しかしながら、識別子がマッチングせず、かつ、ブロック１８０４において指令がロック／ロック解除すべきものであれば、受信器は、ブロック１８０９及び１８１０において当該指令を実行して当該指令を他の複数受信器に引き渡す。または、ブロック１８０５において走査構成情報が受信器の帯域識別子にマッチングする場合、受信器は、その周波数をブロック１８０６において当該走査データに従って構成し、ブロック１８０７において当該データを他の複数受信器に引き渡す。受信器の帯域識別子がマッチングしなければ、指令データはブロック１８０８において、後続の複数受信器に引き渡される。
【００８６】
図１９は、本実施形態の一側面に係る無線通信システムにおいて、受信器１９０１から携帯デバイス１９０２へのバックリンク１９５１を使用してＲＦスペクトルを走査する一例を示す。バックリンク１９５１は、他の機能に悪影響を与えることがない逆無線チャネルを含み得る。バックリンク１９５１によって無線システムは、すべての受信器のみならず、すべての送信器、例えば送信器１９０２に対しても、ＲＦスペクトルを走査し、かつ、グループ／チャネル構成を展開することができる。加えて、展開はまた、動作中に動的かつ自動的に行い得る。
【００８７】
図２０は、本実施形態の一側面によって係る、受信器のいくつかがカスケード接続された無線通信システムのブロック図を示す。受信器２００２及び２００３が、上述されたものと同様に、分配システム２００１と相互作用をする。しかしながら、追加の受信器２００４〜２００５が受信器２００２とともにカスケード接続される。カスケード接続は、信号をＡポート２００６及びＢポート２００８において修正して当該修正された信号を、修正されたＡポート２００７及び修正されたＢポート２００９それぞれにおいて通過させることによって行われる。
【００８８】
図２１は、本実施形態の一側面に係る、カスケード接続された構成を介して受信器２００３〜２００５によりデータを引き回す一例を示す。受信器２００４は、Ａポート２１０１を介してＲＦ信号をアンテナ２１１０から及びデータを他の受信器から受信する。信号２１５１は、修正されたＡポート２１０３にカスケード接続され、かつ、当該修正されたＡポート２１０３において経路２１５２及び２１５３を介してプロセッサ２１０５が生成したデータと結合される。ここで、ＲＦチョーク２１０６及び２１０７は、ＲＦ信号からの隔離を与える。したがって、カスケード接続された信号は、Ａポート２１０８において、処理すべき受信器２００５に対して利用可能となる。したがって、Ａポート及び修正されたＡポートは、アンテナ２１１０からのＲＦ接続を与える一方、受信器２００３、２００４及び２００５間の双方向データ接続も与える。同様にして、Ｂポート及び修正されたＢポートは、アンテナ２１１１からの接続を与える一方、受信器２００５、２００４及び２００３間の双方向データ接続も与える。
【００８９】
図２２は、本実施形態の一側面に係る分配システム２２０１及びＲＦエンティティ２２０２（例えば受信器又は送信器）間のネットワーク構築機能のために出力電力コネクタ２２０３及び２２０４においてＤＣレベルを変調する一例を示す。出力電力コネクタにおけるＤＣレベルの変調は、上述したＡポート及びＢポートを介してのＲＦポートの場合と同様に、ネットワーク構築機能を目的として使用することができる。
【００９０】
本開示の一側面では、プロセッサ２２０５は変調器２２０６にデータを送信する。変調器２２０６は、当該データに従ってＤＣ電力信号を変調する。例えば、公称１３．５ボルトの信号が、データビットが「１」に等しい場合に１５ボルトまで増大され、データビットが「０」に等しい場合に１２ボルトまで低減される。電力ポート２２０４における対応する信号が復調器２２０７によって復調され、当該受信されたデータは、経路２２０１を経由してプロセッサ２２０８に送信される。ＤＣ信号は、電力をＲＦエンティティ２２０２に供給するべく電力セクション２２５２に提示される。逆方向の（すなわち受信器２２０２から分配システム２２０１への）データも、同様にして与えられる。
【００９１】
図２３は、本実施形態の一側面に係るアンテナ結合器２３０１を介して送信器２３０２〜２３０３のシステムをネットワーク構築する一例を示す。アンテナ結合器２３０１は、図８に示すように分配システムを介して受信器のシステムをネットワーク構築するのではなく、送信器２３０２〜２３０３が携帯受信器２３０４〜２３０５にＲＦ信号を送信する無線パーソナルステージモニタ（ＰＳＭ）システムをサポートする。
【００９２】
受信器２３０４は、ＲＦスペクトルを走査して走査結果を赤外（ＩＲ）チャネル２３５１を経由してアンテナ結合器２３０１に送信することができる。その結果、送信器２３０２〜２３０３はそれに従って、上述と同様にＲＦポートを使用して構成することができる。しかしながら、このようなシステムにおいて、データは、図１０に示すループ態様で引き回されることがない。その代わりにデータは、接続された複数デバイス間で直接送受信される。引き回しは、個別に標的として接続された複数送信器のみがデータを受信し、又は、接続された複数送信器すべてが同時にデータを受信し、かつ、当該データを、接続されたポートの割り当てに従って処理するように行われる。接続された送信器２３０２〜２３０３の構成がひとたび完了すると、携帯受信器２３０４〜２３０５への固有のＲＦ通信経路を、展開を目的として使用することができる。いくつかの実施形態では、送信器２３０２〜２３０３はそれぞれ、携帯受信器２３０４〜２３０５とペアリングされるが、これは、当該送信器からそのペアとなる受信器へと固有のＩＤを関連付けることによって行われる。例えば振幅シフトキーイング（ＡＳＫ）のようなデータ変調技術を、送信器２３０２〜２３０３において放射されるパイロットトーン又はトーンキーのような補助信号に対して適用することができる。携帯受信器２３０４〜２３０５は、ＲＦ信号を受信かつ復調し、その後、補助データを復調することもできる。このデータは、送信器と受信器とのペアリングを可能とする識別子と同様に、周波数及びロック指令のような展開設定も包含し得る。このアプローチを使用すれば、多重無線パーソナルステージモニタ（ＰＳＭ）システムの集合全体を、非常に迅速かつ容易に最適設定することができる。
【００９３】
本実施形態の一側面では、ＲＦ装置における異なるＲＦエンティティ間のデータ通信は、ＲＦポートを経由したＲＦ接続によってサポートされる。ＲＦエンティティは、ＲＦ受信器、インラインＲＦ信号増幅器、積分アンテナ増幅器、ＲＦ分配増幅器、及び／又はアンテナアレイ制御器を含み得る。例えば、データ通信は、インラインＲＦ信号増幅器の利得、積分アンテナ増幅器の利得、ＲＦ分配増幅器のフィルタリング、利得及び構成パラメータ、並びに／又は指向性アンテナアレイのカバレッジパターンについてのデータを伝えることができる。
【００９４】
図２４は、受信器又は分配システム２４０３が、アクティブ増幅器２４０２及び２４０５それぞれを介して、アンテナ２４０１及び２４０４からＲＦ信号を取得するＲＦ通信システム２４００を示す。受信器又は分配システム２４０３のＲＦアンテナ入力／データ出力ポート２４５２は、ＲＦチェーンに沿って接続された他の複数ＲＦデバイス（エンティティ）の挙動及び性能を遠隔制御するべく使用することができる。受信器又は分配システム２４０３は、受信した信号に適用される信号利得の大きさを制御するべく、ポート２４５１を経由してアクティブ増幅器２４０２にデータ（例えばメッセージ）を送信することができる。メッセージはまた、アクティブ増幅器２４０２が特定の大きさの減衰を挿入するためのデータも包含し得る。アクティブ増幅器２４０２はまた、現行状態及び／又は設定についての情報を与えるデータ（メッセージ）を受信器又は分配システム２４０３に戻すように送信することができる。いくつかの実施形態では、受信器又は分配システム２４０３からアクティブ増幅器２４０２に送信されるデータのいくつか又はすべてはさらに、ポート２４５５、２４５７、２４５８及び２４５９を経由して、例えばインライン増幅器２４０６及び／又はアクティブアンテナ２４０１のような他のＲＦエンティティに渡される。その結果、他の複数デバイスが、受信器又は分配システム２４０３への通信リンクを確立することができる。例えば、アンテナ２４０１に物理的に近くする必要なしに、ＲＦ通信システム２４００に追加された追加のケーブル損失を克服するべく、インライン増幅器２４０６を長いケーブルランに挿入して利得が低利得から高利得まで変化するように制御することができる。
【００９５】
ＲＦ接続を経由して受信器又は分配システム２４０３から渡されるデータは、アクティブアンテナ２４０１の利得若しくは減衰設定及び／又はカバレッジパターンの指向性を遠隔制御するべく使用することができる。加えて、アクティブアンテナ２４０１は、その現行動作、構成又は他のシステム性能関連情報のパラメータを備えた状態データを、受信器又は分配システム２４０３に戻すように送信することができる。
【００９６】
当該いくつかの実施形態では、アクティブアンテナ２４０１に送信されるデータの大きさを、アクティブアンテナ２４０１自体に包含される回路による処理に必要な情報のみを含ませることによって、低減することができる。例えば、アクティブアンテナ２４０１は、受信器又は分配システム２４０３によって遠隔制御される可変利得設定をサポートすることができる。その結果、利得が低減され、厳しいＲＦ環境において高度なシステム適合性が達成される。このアプローチにより、全数の送信器を再展開する必要なしに、多くのチャネルを所与のＲＦスペクトル内に受け入れ可能とすることができる。さらに、アクティブアンテナ２４０１は、受信器又は分配システム２４０３からのデータに応答してカバレッジパターン（ビーム形状）を調整することができる。その結果、干渉を回避し又は所望の信号のＲＦ受信を改善することができる。
【００９７】
いくつかの実施形態では、受信器又は分配システム２４０３は、ロバストな受信を得るべく、ポート２４５３、２４５４及び２４５６を介して追加のアンテナ、例えばアンテナ２４０４に接続することができる。対応するデータは、上述と同様に、ＲＦエンティティ２４０３〜２４０５間で送信することができる。
【００９８】
図２５を参照すると、ＲＦ接続を介して渡されたデータメッセージはまた、他のＲＦエンティティ、例えばポート２５５１及び２５５２を介した受信器２５０１からの、分配増幅器２５０２のアンテナ分配増幅器パラメータを遠隔制御するべく使用することもできる。例えば、パラメータは、通信システム２５００内に包含される切り替え可能な帯域を特定することができる。データはまた、入力／出力電力又はその制御に関する情報を包含することもできる。過負荷レベルに関するメッセージはまた、分配増幅器２５０２から受信器２５０１に送信することもできる。受信器２５０１から分配増幅器２５０２への（又はその逆の）通信により、一緒に接続された一定数のＲＦエンティティによって制御されるインテリジェントかつアダプティブなシステムを許容することができる。このアプローチにより、システム２５００は、追加のケーブルなしに作られたデータネットワークを経由する、単純な通信メッセージから複雑な通信メッセージまでの広範囲な通信メッセージを使用することができる。メッセージはまた、分配増幅器２５０２から、上述と同様にＲＦチェーンに沿って接続された複数ＲＦエンティティに送信することもできる。例えば、分配増幅器２５０２は、インライン増幅器、アクティブアンテナ又は他のインラインデバイスを制御することができる。
【００９９】
いくつかの典型的実施形態が、図２４及び２５に示すアクティブアンテナ及び／又は増幅器を組み入れることができる一方、いくつかの実施形態は、他のタイプのＲＦエンティティを組み入れることができる。
【０１００】
いくつかの実施形態が特定例に関して記載されている一方、他の実施形態は、多数の変形例、上記システム及び技術の並べ替えを含む。
【図１】
0005912006.tif 000002
【図２】
0005912006.tif 000003
【図３】
0005912006.tif 000004
【図４】
0005912006.tif 000005
【図５】
0005912006.tif 000006
【図６】
0005912006.tif 000007
【図７】
0005912006.tif 000008
【図８】
0005912006.tif 000009
【図９】
0005912006.tif 000010
【図１０】
0005912006.tif 000011
【図１１】
0005912006.tif 000012
【図１２】
0005912006.tif 000013
【図１３】
0005912006.tif 000014
【図１４】
0005912006.tif 000015
【図１５】
0005912006.tif 000016
【図１６】
0005912006.tif 000017
【図１７】
0005912006.tif 000018
【図１８】
0005912006.tif 000019
【図１９】
0005912006.tif 000020
【図２０】
0005912006.tif 000021
【図２１】
0005912006.tif 000022
【図２２】
0005912006.tif 000023
【図２３】
0005912006.tif 000024
【図２４】
0005912006.tif 000025
【図２５】
0005912006.tif 000026